(57)【要約】【課題】従来のマルチ映像表示装置では、一体化された個々の表示装置をそれぞれ、表示画面が所定の位置に配置されるように枠組みされた架台に組み込む必要があった。このため、各表示装置それぞれの重さを支えるために架台に相当の強度が必要であること、及び、ユーザがそれぞれの表示装置同志の結線や画質調整のために、裏面（表示装置の背後）スペースやはしご等の移動手段、等が必要で広い設置スペースと多大な設置費用が必要であった。【解決手段】個々の表示装置をパネルユニットと他部分とに分割し、パネルユニットは、例えば、表示パネル部と表示パネル制御回路部とで構成し、他部分を、複数のパネルユニットで構成した大画面表示部と分離して、ユーザが、操作パネルの操作や調整がし易い低い場所に設置するようにした。【選択図】図１
2009180988.tif 000002
【特許請求の範囲】
【請求項１】
映像表示装置のパネルユニットを複数隣接配置して、マルチ画面構成とするマルチ映像表示装置において、上記映像表示装置それぞれのパネルユニットとその他の回路部品とを分離し、上記分離したそれぞれのパネルユニットを架体フレームに取り付けたことを特徴とするマルチ映像表示装置。
【請求項２】
請求項１記載のマルチ映像表示装置において、上記それぞれの他の回路部品を上記架体フレームの背後若しくは床上の収納ボックスにまとめて収納したことを特徴とするマルチ映像表示装置。
【請求項３】
請求項１若しくは請求項２記載のマルチ映像表示装置において、上記架体フレームは、所定の数の複数のパネルユニットを取り付ける構成であって、上記架体フレームを複数連結可能であることを特徴とするマルチ映像表示装置。
【請求項４】
請求項１乃至請求項３のいずれか１つに記載のマルチ映像表示装置において、上記パネルユニットに供給される電源は、デイジーチェーン方式で接続され供給されることを特徴とするマルチ映像表示装置。
【請求項５】
請求項１乃至請求項４のいずれか１つに記載のマルチ映像表示装置において、上記パネルユニットには、パネル制御回路が含まれることを特徴とするマルチ映像表示装置。
【請求項６】
請求項１乃至請求項５のいずれか１つに記載のマルチ映像表示装置において、上記その他回路部は、一体化されて収納され、それぞれ対応するパネルユニットを制御することを特徴とするマルチ映像表示装置。
【発明の詳細な説明】
【技術分野】
【０００１】
本発明は、複数のフラットパネルディスプレイのそれぞれの画面を組合わせて大画面を構成するマルチ映像表示装置に関する。
【背景技術】
【０００２】
従来から、複数のＦＰＤ（フラットパネルディスプレイ：Flat Panel Display ）の表示画面を隣接して大画面としたマルチ映像表示装置を一か所に構築し、複数のテレビカメラ等の撮像装置によって撮像された映像を表示して、監視や統制あるいは宣伝のために使用することが行われている。
【０００３】
【特許文献１】特開２００６−３０３６２８号公報
【発明の開示】
【発明が解決しようとする課題】
【０００４】
複数のＦＰＤは、例えば、特許文献１のように、ＬＣＤ（ Liquid Crystal Display ）表示装置やＰＤＰ（ Plasma Display Panel ）表示装置等で構成する。
しかし、従来のマルチ映像表示装置では、一体化された個々の表示装置をそれぞれ、表示画面が所定の位置に配置されるように枠組みされた架台に組み込む必要があった。
このため、各表示装置それぞれの重さを支えるために架台に相当の強度が必要であること、及び、ユーザがそれぞれの表示装置同志の結線や画質調整のために、裏面（表示装置の背後）スペースやはしご等の移動手段、等が必要で広い設置スペースと多大な設置費用が必要であった。
また、架台にそれぞれの表示装置を設置する場合には、それぞれの表示装置の重量が大きいうえ高所作業が多く、作業の手違いで落下等の危険があり、作業者の安全の確保が難しかった。
また、設備の拡大等によって、表示装置の量を増やしたり配置変更する場合もあり、その都度設置工事が必要であった。
本発明の目的は、上記のような問題を解決し、設置スペースや設置費用を低減し、設備の拡大や変更が容易で安全に設置作業が可能な映像表示装置を提供することにある。
【課題を解決するための手段】
【０００５】
上記の目的を達成するため、本発明のマルチ映像表示装置は、映像表示装置のパネルユニットを複数隣接配置して、マルチ画面構成とするマルチ映像表示装置において、上記映像表示装置それぞれのパネルユニットとその他の回路部品とを分離し、上記分離したそれぞれのパネルユニットを架体フレームに取り付けたものである。
上記発明のマルチ映像表示装置において、上記それぞれの他の回路部品を上記架体フレームの背後若しくは床上の収納ボックスにまとめて収納したものである。
また好ましくは、上記発明のマルチ映像表示装置は、上記架体フレームは、所定の数の複数のパネルユニットを取り付ける構成であって、上記架体フレームを複数連結可能であるものである。
また好ましくは、上記発明のマルチ映像表示装置は、上記パネルユニットに供給される電源は、デイジーチェーン方式で接続され供給されるものである。
また好ましくは、上記発明のマルチ映像表示装置は、上記パネルユニットには、パネル制御回路が含まれるものである。
また好ましくは、上記発明のマルチ映像表示装置は、上記その他回路部は、一体化されて収納され、それぞれ対応するパネルユニットを制御するものである。
【発明の効果】
【０００６】
本発明に拠れば、設置スペースや設置費用を低減し、設備の拡大や変更が容易で安全に設置作業が可能な映像表示装置を提供することができる。
【発明を実施するための最良の形態】
【０００７】
本発明の映像表示装置は、個々の表示装置をパネルユニットと他部分とに分割し、パネルユニットは、例えば、表示パネル部と表示パネル制御回路部とで構成し、他部分を、複数のパネルユニットで構成した大画面表示部と分離して、ユーザが、操作パネルの操作や調整がし易い低い場所に設置するようにしたものである。
また好ましくは、本発明の映像表示装置は、所定の数の個々の表示装置を組合わせて構成するための架台を設け、該架台にパネルユニットを搭載し、地上若しくは床上にパネルユニット以外の部分を収納したコントロールユニットを設けたものである。
また好ましくは、本発明の映像表示装置の上記コントロールユニットは、それぞれが、それ自身のパネルユニットと有線若しくは無線の伝送線で結合し、かつ、それぞれのコントロール間、及びシステム全体を統括する制御装置と結合し、制御装置の制御によってコントロールユニットを制御することが可能なため、制御装置は、各コントロールユニットがパネルユニットを制御することによって、各コントロールユニットを介して間接的にパネルユニットを制御する。
また好ましくは、本発明の映像表示装置は、パネルユニットと、該パネルユニットを指示固定する架台と、コントロールユニットから構成され、前記架台は、予め定められた所定に行数及び列数に個々の表示装置のパネルユニットを配置するように構成され、その架台は、それぞれが連結可能な連結構造を有するものである。
また好ましくは、上記本発明の映像表示装置の上記架台は、それぞれに搭載されたパネルユニットの位置を調整可能にしたものである。
【０００８】
以下、添付図面を参照しながら本発明の実施形態を詳細に説明する。なお、各図において、共通な機能を有する構成要素には同一の参照番号を付し、できるだけ説明の重複を避けるため、説明を省略する。
【０００９】
本発明の一実施例を図１によって説明する。図１は、本発明の一実施例で、表示部（パネルユニット）と他部分とを別々に架体フレームに取り付ける構成を説明するための図である。図１(a) は、表示部（パネルユニット）の一実施例を説明するための図、図１(b) は、本発明のマルチ映像表示装置の一実施例を説明するための図である。１００はマルチ映像表示装置、１０１はマルチパネルユニット、１１１−１、１１１−２、１１１−３、及び１１１−４はそれぞれ単体のパネルユニット、１１２−１〜１１２−４はパネルユニット１１１−１の接続部、１２１は架体フレーム、１２２−１、１２２−２、１２２−３、及び１２２−４はそれぞれパネルユニット１１１−１〜１１１−４の接続部１１２−１〜１１２−４を嵌合し架体フレーム１２１とパネルユニット１１１−１〜１１１−４とを固定するための結合部、１２３−１〜１２３−４はパネルユニット１１２−１〜１１２−４をそれぞれ架体１２１に締結具で固定するための取付部、１２４−１、１２４−２、１２４−３、及び１２４−４、並びに、１２５−１、１２５−２、１２５−３、及び１２５−４は取り外し可能な背面カバー、１２６−１、１２６−２、１２６−３、及び１２６−４は電源コード配線用の開口部、１２８と１２９はその他配線用の開口部、１２７はパネルユニット間でデイジーチェーンで接続する電源コード等の、パネルユニット間で接続するコードを通すための開口部、１３０は架体フレーム１２１の上部の開口部１２９と下部のパネルユニット１１１−２若しくは１１１−４との配線コードを通すための開口部、１５１はその他回路部、１５２は制御部である。
パネルユニット１１１、１１２、及び１１４の破線枠内は、表示画面領域である。なお、取付部１２３−１〜１２３−４は、架体１２１の前面部側に設けられている開口部を示しているが、架体の内部を説明するため透明化している。
【００１０】
図１においては、４台のＦＰＤ表示装置について１組のマルチ映像表示装置１００として組込む構成を示している。
図１では、１台毎のＦＰＤ表示装置をパネルユニット１０１とその他回路部１５１とに分離して構成し、パネルユニット１０１の背後にその他回路部１５１を配置して結線している。また制御部１５２をパネルユニット１０１の前に設置し、ユーザが監視及びパネルユニット１０１の表示の切替え等の制御を行う。
パネルユニット１０１は左右方向に隣接して複数のパネルユニット１０１を増設可能とするように、単体のＦＰＤ表示装置それぞれに供給する電源はデイジーチェーンで横方向に結線を延長できるように構成する。また、その他各ＦＰＤ表示装置間で共通する制御信号配線用のコードも同様である。
各ＦＰＤ表示装置それぞれに対する制御は、それ自体に属するその他回路部１５１内のその他回路部と結合し、ユーザは、制御部１５２を操作して、操作しようとするＦＰＤ表示装置に対応するその他回路部を介して実行する。
【００１１】
図１の実施例によれば、ＦＰＤ表示装置単体を表示部（パネルユニット）とその他回路部に分離し、別々に架体に取り付けるため、ＦＰＤ装置単体毎に従来備えていた筐体（カバー）が不要となり軽量化できる。そして、パネルユニットが軽いので取り付け作業時の安全性が増し、かつ、位置調整も容易になる。即ち、組立性、作業性、等が向上する。更に、パネルユニットとその他回路部の間の空間で内部配線（内部結線）ができるので、背面がすっきりした構成とすることができる。また従って、メンテナンス等の作業がし易く、サービス性が向上する。また更に、設置スペースを小さくすることができる。
また、４台若しくは複数の、単体のＦＰＤ表示装置を１組にしてマルチ表示装置を構成するため、架体も簡単で、標準化できるので、コスト低減が可能である。また、装置の増設や削減、等の拡張性が向上する。
なお、制御部をマルチ表示装置のパネルユニットの前に設けず、別の場所で遠隔制御しても良いし、両方を備え、どちらからでも制御できるようにしても良い。また、図１の実施例では、パネルユニットを上下方向に２段で組み上げたが、３段構成等、組合わせは上下左右方向に自由である。
【００１２】
本発明のマルチ映像表示装置の他の実施例を図２と図３によって説明する。図２は、表示部（パネルユニット）のみを架体フレームに固定し、他の回路部は架体フレームの下部等、別に収納する構成を説明するための図である。図２(a) は、表示部（パネルユニット）の一実施例を説明するための図、図２(b) は、本発明のその他回路部の一実施例を説明するための図である。また図３は、本発明のマルチ映像表示装置の構成を説明するための図である。３００は、マルチ映像表示装置、２５２−１、２５２−２、２５２−３、及び２５２−４はそれぞれパネルユニット１１１−１１１１−２、１１１−３、及び１１１−４に対応するその他回路部、２５５は他の場所（例えば、撮像装置若しくは受信アンテナ、及び制御部）と結合するためのネットワーク回線等の伝送線、２５３−１は対応するその他回路部２５２−１とパネルユニット１１１−１間を結合する伝送線、２５３−２は対応するその他回路部２５２−２とパネルユニット１１１−２間を結合する伝送線、２５３−３は対応するその他回路部２５２−３とパネルユニット１１１−３間を結合する伝送線、２５３−４は対応するその他回路部２５２−４とパネルユニット１１１−４間を結合する伝送線、３０１は架体フレームである。なお、マルチ映像表示装置に供給される電源コードは省略した。
【００１３】
図２において、制御部２５２−１は、図示しないユーザが操作する制御部から、伝送線２５５を介して制御信号を受信することによって制御され、パネルユニット１１１−１に必要な制御信号を伝送線２５３−１を介して対応するパネルユニット１１１−１に出力する。パネルユニット１１１−１はその制御信号に対応した処理動作を行う。他の制御部２５２−２〜２５２−４、パネルユニット１１１−２〜１１１−４、及び伝送線２５３−２〜２５３−４に関しても同様である。
また、制御部２５２−１〜２５２−４は、図示しないユーザが操作する制御部から、伝送線２５５を介して制御信号を受信し、統一した若しくは共通した制御信号を受信して、対応するＦＰＤ表示装置に対して、共通した制御を行う。
図３に本実施例のマルチ映像表示装置３００を示す。
【００１４】
図２及び図３の実施例に拠れば、ＦＰＤ表示装置単体を表示部（パネルユニット）とその他回路部に分離し、パネルユニットだけを架体に取り付けるため、ＦＰＤ装置単体毎に従来備えていた筐体（カバー）が不要となり軽量化できる。そして、パネルユニットが軽いので取り付け作業時の安全性が増し、かつ、位置調整も容易になる。即ち、組立性、作業性、等が向上する。更に、パネルユニットの背面には、分離したその他回路部との伝送線、電源コード、及び各単体のＦＰＤ表示装置間の結線だけとなるので、背面がすっきりした構成とすることができる。また従って、メンテナンス等の作業がし易く、サービス性が向上する。
また、パネルユニットだけが架体の上部に設けられるため、重心が下がり、安定性が増す。また、図１の実施例より簡単な構造の架体とすることができ、材料費の節減と軽量化が可能である。またこのため、表示装置の増減等の拡張性が向上する。また更に消耗品は、その他回路部に多く、その他回路部が床上等に設置できることから取替えが容易であり、また従来は上の方にもメンテナンスや調整する箇所があっため足場が必要であったが、図２、３の実施例に拠れば、装置の調整やメンテナンス等の作業が一段と容易となる。また、その他回路部は、パネルユニットと分離されたことから任意の場所に設置できるため、図１の実施例より、更に設置スペースを節約することができる。
また、４台若しくは複数の、単体のＦＰＤ表示装置を１組にしてマルチ表示装置を構成するため、架体も簡単で、標準化できるので、コスト低減が可能である。また、装置の増設や削減、等の拡張性が向上する。
なお、図２及び図３の実施例では、制御部を別に設けたが、その他回路部に一体化しても良い。また、図１の実施例では、パネルユニットを上下方向に２段で組み上げたが、３段構成等、組合わせは上下左右方向に自由である。
【００１５】
図４に、単体のＦＰＤ表示装置について、本発明のパネルユニットとその他回路部とに分離した構成にの一実施例をブロック図で説明する。図４は、本発明のＦＰＤ表示装置単体をパネルユニットとその他回路部とに分離した構成の一実施例を示すブロック図である。４０１はＦＰＤ表示装置（ディスプレイＡ）、４０２はＦＰＤ表示装置（ディスプレイＢ）、４０３はＦＰＤ表示装置（ディスプレイＣ）、４０４はＦＰＤ表示装置（ディスプレイＤ）、４５１はシステム制御部、４１０はＦＰＤ表示装置４０１のパネルユニット（表示部）、４１１はパネルユニット４１０内のパネル制御回路、４２０はその他回路部、４２１はその他回路部４２０内の電源回路、４２２はその他回路部４２０内のＤＣ−ＤＣコンバータ回路、４２３はその他回路部４２０内のインターフェース回路、４２４はその他回路部４２０内のメイン回路である。
【００１６】
図４において、マルチ表示装置は４台の単体のＦＰＤ表示装置４０１〜４０４を組み込んでいる。ＦＰＤ表示装置４０２〜４０４内の構成は、ＦＰＤ表示装置４０１と同様であるので、説明はＦＰＤ表示装置４０１について行う。
まず、パネルユニット４１１には、液晶表示パネルの他、液晶表示パネルを制御して画像を表示するためのパネル制御部４１１がある。
また、その他回路部４２０には、供給されたＡＣ電源をＤＣ１２［Ｖ］に変換する電源回路４２１、電源回路４２１によって変換されたＤＣ１２［Ｖ］を例えばＤＣ２４［Ｖ］に変換するＤＣ−ＤＣコンバータ回路４２２、及び冷却用のファン等を制御するインターフェース回路４２３がある。更に、その他回路部４２０には、入出力端子、画像位置、色バランス、ガンマ調整、画面拡大、等の処理を行うメイン回路４２４がある。
また、システム制御部４５１は、ユーザの操作を、直接若しくは遠隔操作等によってなされた場合に、マルチ映像表示装置を構成するＦＰＤ映像表示装置４０１〜４０４を制御する。
【００１７】
図５は、本発明のマルチ映像表示装置を監視カメラシステムに適用した場合の一実施例のシステム構成を示すブロック図である。５００は監視センタ、５１０はマルチ映像表示装置、５１１〜５１８はマルチ映像表示装置５１０のそれぞれのパネルユニットの表示画面、５２０はマルチ映像表示装置５１０のその他回路部、５３０は制御部、５４０−１、５４０−２〜５４０−Ｎは監視用のカメラ（Ｎは自然数）、５５０は切替え制御部、５６０は遠隔操作端末、５７０は管理サーバである。
【００１８】
図５において、切替え制御部５５０は、入力される信号を所定のユニットに送信するように切換え伝送路の切り替えを行う。監視用のカメラ５４０−１〜５４０−Ｎは、それぞれ、監視視野内を撮像した映像を切替え制御部５５０を介して監視センタ５００内の制御部５３０、遠隔操作端末５６０、及び管理サーバ５７０に送信する。
管理サーバ５７０は、カメラ５４０−１〜５４０−Ｎから入力される映像を蓄積する。遠隔監視端末５６０は、受信した映像及びシステムの状態から必要なカメラの映像を選択してマルチ映像表示装置５１０に表示されるように、自動的なプログラム若しくはユーザの操作によって、制御部５３０を制御する。
制御部５３０は、入力された映像を遠隔操作端末５６０の制御に応じて表示画面５１１〜５１８に表示するために。その他回路部５２０に制御信号と映像を送る。
その他回路部５２０は、制御部５３０からの制御信号に応じて、対応するパネルユニットの表示画面５１１〜５１８を制御して映像を表示させる。こえｌによって、表示画面５１１〜５１８には所定の映像が表示される。
【００１９】
図５は、表示画面の数が８台（２行×４列）の実施例である。しかし、９台（３行×３列）や１６台（４行×４列）等、本発明のマルチ映像表示装置を適用することにより多様な組合せが実現でき、かつ簡単に別の台数の変更若しくは拡張することが可能となるので、監視システムの監視領域の拡大若しくは変更に、容易に追従可能なシステム構築が可能である。
なお、図５では、１台の切替え制御部に全てのカメラが結合していたが、複数の切替え制御部を備え、それぞれの切替え制御部が１台乃至複数のカメラ若しくは切替え制御部と結合しても良い。
【図面の簡単な説明】
【００２０】
【図１】本発明のマルチ映像表示装置の一実施例を説明するための図。
【図２】本発明のマルチ映像表示装置の一実施例を説明するための図。
【図３】本発明のマルチ映像表示装置の一実施例を説明するための図。
【図４】本発明のＦＰＤ表示装置単体をパネルユニットとその他回路部とに分離した構成の一実施例を示すブロック図。
【図５】本発明のマルチ映像表示装置を監視カメラシステムに適用した場合の一実施例のシステム構成を示すブロック図。
【符号の説明】
【００２１】
１００：マルチ映像表示装置、  １０１：マルチパネルユニット、  １１１−１、１１１−２、１１１−３、１１１−４：パネルユニット、  １１２−１〜１１２−４：接続部、１２１は架体フレーム、１２２−１、１２２−２、１２２−３、１２２−４：結合部、  １２３−１〜１２３−４：取付部、  １２４−１、１２４−２、１２４−３、１２４−４、１２５−１、１２５−２、１２５−３、１２５−４：背面カバー、  １２６−１、１２６−２、１２６−３、１２６−４、１２７〜１３０：開口部、  １５１：その他回路部、  １５２：制御部、  ２５２−１、２５２−２、２５２−３、２５２−４：その他回路部、  ２５３−１、２５３−２、２５３−３、２５３−４、２５５：伝送線、  ３００：マルチ映像表示装置、  ３０１：架体フレーム、  ４０１：ＦＰＤ表示装置（ディスプレイＡ）、  ４０２：ＦＰＤ表示装置（ディスプレイＢ）、  ４０３：ＦＰＤ表示装置（ディスプレイＣ）、  ４０４：ＦＰＤ表示装置（ディスプレイＤ）、  ４１０：パネルユニット（表示部）、  ４１１：パネル制御回路、  ４２０：その他回路部、  ４２１：電源回路、  ４２２：ＤＣ−ＤＣコンバータ回路、  ４２３：インターフェース回路、  ４２４：メイン回路、  ４５１：システム制御部、  ５００：監視センタ、  ５１０：マルチ映像表示装置、  ５１１〜５１８：表示画面、  ５２０：その他回路部、  ５３０：制御部、  ５４０−１、５４０−２〜５４０−Ｎ：カメラ（Ｎは自然数）、  ５５０：切替え制御部、  ５６０：遠隔操作端末、  ５７０は管理サーバ。
【図１】
2009180988.tif 000003
【図２】
2009180988.tif 000004
【図３】
2009180988.tif 000005
【図４】
2009180988.tif 000006
【図５】
2009180988.tif 000007